(57)【要約】【課題】  無線接続が確立できる状況であるにも係わらず無線接続を確立できないことを防止する。【解決手段】  移動通信端末１０は、基地局への無線接続要求の再送の回数が設定される移動通信端末であって、設定された再送の回数に基づいて、無線接続要求の最後の再送が行われたことを検出する検出部１５と、検出部１５により最後の再送が行われたことが検出されると、自端末のセル移行を禁止する制御を行う制御部１６とを備える。【選択図】  図１
2007201527.tif 000002
【特許請求の範囲】
【請求項１】
基地局への無線接続要求の再送の回数が設定される移動通信端末であって、
設定された前記再送の回数に基づいて、前記無線接続要求の最後の再送が行われたことを検出する検出手段と、
前記検出手段により前記最後の再送が行われたことが検出されると、自端末のセル移行を禁止する制御を行う制御手段と、
を備える移動通信端末。
【請求項２】
基地局への無線接続要求の再送の回数が設定される移動通信端末におけるセル移行制御方法であって、
設定された前記再送の回数に基づいて、前記無線接続要求の最後の再送が行われたことを検出する検出ステップと、
前記検出ステップにおいて前記最後の再送が行われたことが検出されると、自端末のセル移行を禁止する制御を行う制御ステップと、
を含むセル移行制御方法。
【発明の詳細な説明】
【技術分野】
【０００１】
本発明は、移動通信端末、及び当該移動通信端末におけるセル移行制御方法に関する。
【背景技術】
【０００２】
移動体通信網において、移動通信端末と基地局との間で無線接続が確立される際には次のような処理が行われる。移動通信端末は、基地局へ無線接続要求（RRC CONNECTION REQUEST）を送信して、当該無線接続要求に応じて基地局から送信される応答（RRC CONNECTION SETUP）を受信する。その後、移動通信端末がその応答に対して接続完了通知（RRC CONNECTION SETUP COMPLETE）を基地局へ送信することにより、無線接続が確立される。通常、基地局からの応答が無かった場合、複数回の無線接続要求の再送がなされる。
【０００３】
また、移動通信端末は、基地局からの電波の強度等により、いずれの基地局との通信を行うか判断して、通信相手の基地局の切り替え、即ちセル移行（CELL RESELECTION）を行う（例えば、下記の特許文献１参照）。
【特許文献１】特開２００４−１５９３０４号公報
【発明の開示】
【発明が解決しようとする課題】
【０００４】
しかしながら、移動通信端末が、無線接続要求を行った後にセル移行を行うと、基地局から無線接続要求に対する応答が送信されたとしても、その応答を受信することができない。この場合、無線接続が確立できる状況であるにも係わらず、基地局からの応答を受信できないために、無線接続を確立できない。特に、その応答が、無線接続要求の最後の再送に対してのものであった場合は、以降の再送は行われないため、呼損となってしまう。
【０００５】
本発明は、以上の問題点を解決するためになされたものであり、無線接続が確立できる状況であるにも係わらず無線接続を確立できないことを防止することができる移動通信端末及びセル移行制御方法を提供することを目的とする。
【課題を解決するための手段】
【０００６】
上記目的を達成するために、本発明に係る移動通信端末は、基地局への無線接続要求の再送の回数が設定される移動通信端末であって、設定された再送の回数に基づいて、前記無線接続要求の最後の再送が行われたことを検出する検出手段と、検出手段により前記最後の再送が行われたことが検出されると、自端末のセル移行を禁止する制御を行う制御手段と、を備えることを特徴とする。
【０００７】
本発明に係る移動通信端末では、無線通信要求の最後の再送が行われた後は、セル移行が禁止されるので、通常ではセル移行が行われる場合であってもセル移行が行われない。これにより、基地局が無線通信要求の最後の再送に対して応答を送信した場合、移動通信端末は確実に当該応答を受信することができ、無線接続を確立することができる。従って、本発明に係る移動通信端末によれば、無線接続が確立できる状況であるにも係わらず無線接続を確立できないことを防止することができる。
【０００８】
ところで、本発明は、上記のように移動通信端末の発明として記述できる他に、以下のように当該移動通信端末におけるセル移行制御方法の発明としても記述することができる。これはカテゴリが異なるだけで、実質的に同一の発明であり、同様の作用及び効果を奏する。
【０００９】
即ち、本発明に係るセル移行制御方法は、基地局への無線接続要求の再送の回数が設定される移動通信端末におけるセル移行制御方法であって、設定された再送の回数に基づいて、無線接続要求の最後の再送が行われたことを検出する検出ステップと、検出ステップにおいて前記最後の再送が行われたことが検出されると、自端末のセル移行を禁止する制御を行う制御ステップと、を含むことを特徴とする。
【発明の効果】
【００１０】
本発明では、無線通信要求の最後の再送が行われた後は、セル移行が禁止されるので、通常ではセル移行が行われる場合であってもセル移行が行われない。これにより、基地局が無線通信要求の最後の再送に対して応答を送信した場合、移動通信端末は確実に当該応答を受信することができ、無線接続を確立することができる。従って、本発明によれば、無線接続が確立できる状況であるにも係わらず無線接続を確立できないことを防止することができる。
【発明を実施するための最良の形態】
【００１１】
以下、図面とともに本発明に係る移動通信端末及びセル移行制御方法の好適な実施形態について詳細に説明する。なお、図面の説明においては同一要素には同一符号を付し、重複する説明を省略する。
【００１２】
図１に本実施形態に係る移動通信端末１０の構成を示す。本実施形態では、移動通信端末１０は、移動体通信を行うことができる携帯電話機である。移動通信端末１０は、具体的には、ＣＰＵ（Central Processing Unit）、メモリ、及びアンテナなどの移動体通信用モジュール等のハードウェアにより構成されており、それらが動作することにより、以下に説明する移動通信端末１０の各機能が発揮される。図１に示すように、移動通信端末１０は、送受信部１１と、携帯電話機能部１２と、移動通信機能部１３と、記憶部１４と、検出部１５と、制御部１６を備える。
【００１３】
送受信部１１は、アンテナに接続されており、移動体通信用の電波を送受信する手段である。送受信部１１は、通信データと電波との間の変換等も行う。
【００１４】
携帯電話機能部１２は、送受信部１１に接続されており、携帯電話機としての機能を担う手段である。例えば、マイクやスピーカ等のハードウェアに接続されており、ユーザから入力された音声を通信データに変換して送受信部１１に送信したり、送受信部１１から通信データを受信して音声に変換して出力したりする。
【００１５】
移動通信機能部１３は、送受信部１１と携帯電話機能部１２と記憶部１４とに接続されており、移動通信端末１０の移動体通信の機能を実行する手段である。移動通信端末１０において、移動通信機能部１３により制御される移動体通信の機能として、無線接続の確立と、セル移行とがある。
【００１６】
無線接続の確立は、例えば、通話を行うための発呼の際やデータ通信の開始の際に行われ、次のように行われる。図２に示すように、まず、移動通信機能部１３が送受信部１１を介して、移動体通信網を構成する基地局２０（基地局２０ａ，２０ｂの総称）に、無線接続要求（RRC CONNECTION REQUEST）３１を送信する。当該無線接続要求３１を受信した基地局２０は、移動通信端末１０からの無線接続が可能な場合は、移動通信端末１０に対して、当該無線接続要求３１に応じた応答（RRC CONNECTION SETUP）３２を送信する。移動通信端末１０では、移動通信機能部１３が送受信部１１を介して、当該応答３２を受信して応答３２に対して接続完了通知（RRC CONNECTION SETUP COMPLETE）（図示せず）を基地局２０へ送信して、無線接続が確立される。
【００１７】
移動通信機能部１３は、基地局２０からの応答が無かった場合、無線接続要求の再送を行う。無線接続要求の再送は、移動通信機能部１３が、再送タイマ（３ＧＰＰ（3rd Generation Partnership Project）におけるＴ３００）により無線接続要求を送信（再送を含む）してからの時間を計測して、満了値（３ＧＰＰにおけるＶ３００）に達したら再送を行う、というように行われる。満了値は、例えば、２〜３秒程度の時間が設定される。無線接続要求の再送の回数の情報は、記憶部１４により記憶されており、移動通信機能部１３は無線接続要求の再送を行う際にその情報を参照する。無線接続要求の再送の回数は、予め設定されていてもよいし、移動通信端末１０が受信する、基地局２０からの報知情報に含まれる設定情報に基づいて適宜設定されてもよい。再送の回数としては、例えば、５回程度の回数が設定される。
【００１８】
セル移行は、移動通信端末１０が通信相手とする基地局２０を変更することである。セル移行が行われるか否かは、移動通信機能部１３が、移動通信端末１０が受信する、基地局２０からの報知情報の電波の強度（受信レベル）に基づいて判断する。この判断は、記憶部１４に格納されているセル移行判定閾値が用いられる。例えば移行先のセル２１（基地局２０）の電波の強度が、移行元のセル２１（基地局２０）の電波の強度よりも強く、且つセル移行判定閾値を超えている場合に、セル移行を行うと判断される。図２に示すように、セル移行は、例えば、移動通信端末１０（を携帯したユーザ）が、基地局２０ａのセル２１ａから、基地局２０ｂのセル２１ｂに移動して、基地局２０ｂからの電波の強度が基地局２０ａからのものよりも強くなるときに行われる。
【００１９】
記憶部１４は、移動通信機能部１３による制御に必要な情報を記憶しておく記憶手段である。具体的には、例えば、無線接続要求の再送の回数、再送タイマの満了値、及びセル移行の判定閾値等の情報である。これらの情報は、必要に応じて移動通信機能部１３により参照される。
【００２０】
検出部１５は、無線接続要求の最後の再送が行われたことを検出する検出手段である。最後の再送とは、上記設定された再送回数目の再送（再送の回数が５回と設定されていたら、５回目の再送）である。最後の再送が行われたことの検出は、具体的には、例えば、移動通信機能部１３により再送が行われる度に回数をカウントし、それが記憶部１４に記憶された再送回数と一致するか否かを判断することにより行われる。検出部１５は、最後の再送が行われたことを検出するとその旨を制御部１６に通知する。
【００２１】
制御部１６は、検出部１５により最後の再送が行われたことが検出されると、自端末のセル移行を禁止する制御手段でもある。具体的には、例えば、移動通信機能部１３にセル移行を行う判断を行わないように制御することにより行われる。
【００２２】
引き続いて、図３のシーケンス図を用いて、本実施形態の移動通信端末１０で実行される処理（セル移行制御方法）を説明する。この処理は、（１）セル２１の境界付近のエリア（セル移行イベント発生条件）、かつ（２）移動通信端末１０から基地局２０への電波が届きにくい低レベル／低品質のエリア（無線接続要求の再送条件）に移動通信端末１０（を携帯したユーザ）が位置しており、移動通信端末１０から無線接続要求が行われる場合に行われる。以下の説明では、移動通信端末１０の現在の通信相手の基地局２０は、基地局２０ａであるが、基地局２０ａのセル２１ａと基地局２０ｂのセル２１ｂとの境界に位置しているものとする。
【００２３】
まず、移動通信端末１０では、移動通信機能部１３が、送受信部１１を介して、無線接続要求を基地局２０ａに送信する（Ｓ０１）。この無線接続要求の送信は、ユーザの操作により通話を行うための発呼やデータ通信の開始がなされることをトリガとして行われる。移動通信機能部１３は、無線接続要求を送信した後、再送タイマによりそこからの時間の計測を始める。
【００２４】
移動通信機能部１３が、基地局２０ａからの応答を受信できず、再送タイマが満了値になると、無線接続要求の再送を行う（Ｓ０２）。移動通信機能部１３は、検出部１５に無線通信要求を再送した旨を通知して、検出部１５は、移動通信機能部１３により無線接続要求が再送される度に、再送された回数をカウントしておく。無線接続要求を再送した後、移動通信機能部１３は、上記と同様に再度、再送タイマによりそこからの時間の計測を始める。
【００２５】
上記と同様に、移動通信機能部１３が、基地局２０ａからの応答を受信できないと、再送を繰り返し、設定された再送の回数に基づき、無線接続要求の最後の再送を行う（Ｓ０３）。検出部１５は、カウントした再送した回数と記憶部１４に記憶された再送の回数とを比較して両者が一致することにより、無線接続要求の最後の再送が行われたことを検出する（Ｓ０４、検出ステップ）。検出部１５が最後の再送が行われたことを検出すると、制御部１６は、自端末のセル移行を禁止する制御を行う（Ｓ０５、制御ステップ）。
【００２６】
この制御により、移動通信端末１０は、セル移行ができなくなる。この後、移動通信端末１０では、移動通信機能部１３が、基地局２０ｂからセル移行の条件を満たす電波強度の報知情報を受信したとしても（Ｓ０６）、セル移行は行われない。なお、報知情報の受信は、必ずしもこのタイミングのみに行われているわけではなく常時行われている。
【００２７】
その後、無線接続要求の再送を行った基地局２０ａから、当該再送に対する応答が送信されると（Ｓ０７）、移動通信端末１０では、移動通信機能部１３が当該応答を受信して応答に対して接続完了通知を基地局２０ａへ送信して、無線接続が確立される（Ｓ０８）。なお、最後の送信から予め設定されたタイムアウトの時間（この時間は記憶部１４に記憶されている）が経過しても、最後の送信に対して基地局２０ａからの応答を受信できない場合、移動通信端末１０では、制御部１６はセル移行の禁止の制御を解除する。その場合、当該無線接続要求に係る発呼等は、呼損となる。
【００２８】
また、最後の再送では無い再送後に、セル移行の条件を満たした場合には、セル移行は禁止されずに、セル移行が実施される。移動通信端末１０からは、セル移行先の基地局２０に対して無線接続要求の再送が行われ、当該再送に応じてセル移行先の基地局２０から応答が送信され無線接続が可能になるからである。
【００２９】
上述したように、本実施形態によれば、無線接続要求の最後の再送に対して基地局２０ａが応答を送信した場合に備えてセル移行を禁止して、無線接続が確立できる状況であるにも係わらず無線接続を確立できないことを防止することができる。
【００３０】
なお、本実施形態は、移動通信端末１０は、携帯電話機としたが、それ以外でも移動体通信を行うことができる端末、例えば、移動体通信機能を備えたＰＣ（Personal Computer）やＰＤＡ（Personal Digital Assistance）でもよい。
【図面の簡単な説明】
【００３１】
【図１】本発明の実施形態における移動通信端末の構成を示す図である。
【図２】移動通信端末の機能の概要を示す図である。
【図３】本発明の実施形態における移動通信端末で実行される処理（セル移行制御方法）を示すシーケンス図である。
【符号の説明】
【００３２】
１０…移動通信端末、１１…送受信部、１２…携帯電話機機能処理部、１３…移動通信機能部、１４…記憶部、１５…検出部、１６…制御部、２０…基地局、２１…セル。
【図１】
2007201527.tif 000003
【図２】
2007201527.tif 000004
【図３】
2007201527.tif 000005